(57)【要約】【課題】円筒ころや保持器を損傷させることなくきわめて容易に組み立てることができるようにした円筒ころ軸受を提供することである。【解決手段】端面を突き合わせた一対のつば付き外輪１のそれぞれと共通内輪１１との間に円筒ころ２１を組込み、その円筒ころ２１を、リング状部３２の一側に複数の柱部３３を設けたくし形保持器３１で保持する。保持器３１は、そのリング状部３２が外輪１の突合せ面側にリング状部３２が配置される組込みとし、差し込みによる組込みとして円筒ころ軸受の組立ての容易化を図る。【選択図】図１
2013024303.tif 000002
【特許請求の範囲】
【請求項１】
外方軌道輪と、その内側に組み込まれた内方軌道輪の一方を、端面を突き合わせて並列の配置とされた一対のつば付き軌道輪とし、他方の軌道輪を共通軌道輪とし、前記一対のつば付き軌道輪のそれぞれと前記共通軌道輪の対向部間に複数の円筒ころと、その円筒ころを保持する保持器とを組込み、その保持器が、リング状部の軸方向一側面に複数の柱部を周方向に等間隔に設けたくし形とされ、そのくし形保持器を、一対のつば付き軌道輪の突合せ面側にリング状部が配置される組込みとした円筒ころ軸受。
【請求項２】
前記一対のつば付き軌道輪のそれぞれと共通軌道輪間に組み込まれた円筒ころ列をそれぞれ単列とし、全体として複列の円筒ころ列とした請求項１に記載の円筒ころ軸受。
【請求項３】
前記一対のつば付き軌道輪の少なくとも一方のつば付き軌道輪と共通軌道輪間に組み込まれた円筒ころ列を複列とし、全体として３列または４列の多列の円筒ころ列とした請求項１に記載の円筒ころ軸受。
【請求項４】
前記一対のつば付き軌道輪の軸方向両端の案内つばを除く他の残りの案内つばの軸方向の幅寸法を同一とした請求項３に記載の円筒ころ軸受。
【請求項５】
前記一対のつば付き軌道輪の突き合わせ面を境としてその両側に配置された一対の保持器のリング状部を共通とした請求項３に記載の円筒ころ軸受。
【請求項６】
前記一対のつば付き軌道輪を連結手段により連結して軸方向に非分離とした請求項１乃至５のいずれかの項に記載の円筒ころ軸受。
【請求項７】
前記連結手段が、一対のつば付き軌道輪の突合せ側端部に跨るようにして連結リングを嵌合し、その連結リングの両端部を径方向に加締め、その加締め片をつば付き軌道輪のリング嵌合面に形成された周方向の係合溝に係合させた構成からなる請求項６に記載の円筒ころ軸受。
【請求項８】
前記連結手段が、一対のつば付き軌道輪の突合せ側端部に跨るようにして連結リングを圧入した構成からなる請求項６に記載の円筒ころ軸受。
【請求項９】
前記複数の保持器のそれぞれの案内を共通軌道輪による軌道輪案内とした請求項１乃至８のいずれかの項に記載の円筒ころ軸受。
【発明の詳細な説明】
【技術分野】
【０００１】
この発明は、外輪と内輪間に円筒ころを組込み、その円筒ころを複列または多列とし、各列の円筒ころをくし形保持器により保持するようにした円筒ころ軸受に関する。
【背景技術】
【０００２】
つば付き外輪と内輪との間に複列に円筒ころを組込み、その複列の円筒ころをくし形保持器で保持するようにした円筒ころ軸受においては、その組立に際し、一方の列の円筒ころと他方の列の円筒ころとを相前後して組付けるようにしており、後から組付ける円筒ころの場合、保持器の柱部を径方向に大きく変形させる必要が生じ、組立てに非常に手間がかかり、ときには、柱部が塑性変形し、保持器を安定よく軌道輪案内することができなくなるという問題が発生する。
【０００３】
そのような問題点を解決するため、特許文献１に記載された円筒ころ軸受においては、つば付き外輪の案内つばに入れ溝を形成し、保持器における柱部の先端部にはテーパ部を形成し、上記入れ溝から対向する柱部間に形成されたポケット内に円筒ころを組込むようにしている。
【０００４】
また、特許文献２に記載された円筒ころ軸受においては、保持器に形成された柱部の保持器内径側の両側縁に落ち止め爪を設け、対向する落ち止め爪間から柱部間に形成されたポケット内に円筒ころを押し込むようにしている。
【先行技術文献】
【特許文献】
【０００５】
【特許文献１】特開平８−１８４３１９号公報
【特許文献２】特開平９−２３６１２９号公報
【発明の概要】
【発明が解決しようとする課題】
【０００６】
ところで、特許文献１に記載された円筒ころ軸受においては、案内つばに円筒ころ組込み用に入れ溝を加工する必要があり、また、円筒ころの組込みの容易化を図るために柱部の先端部にテーパ面を加工する必要があるため、加工に手間がかかり、その加工面が円筒ころとの接触部であるため、エッジ当たりによって円筒ころが損傷するおそれがある。
【０００７】
一方、特許文献２に記載された円筒ころ軸受においては、対向する落ち止め爪間に円筒ころを無理やり押し込む必要があるため、円筒ころの転動面に保持器母材色が転写されたり、転動面に擦り傷が生じ、転動面を損傷させるおそれがある。
【０００８】
この発明の課題は、円筒ころや保持器を損傷させることなくきわめて容易に組み立てることができるようにした円筒ころ軸受を提供することである。
【課題を解決するための手段】
【０００９】
上記の課題を解決するため、この発明においては、外方軌道輪と、その内側に組み込まれた内方軌道輪の一方を、端面を突き合わせて並列の配置とされた一対のつば付き軌道輪とし、他方の軌道輪を共通軌道輪とし、前記一対のつば付き軌道輪のそれぞれと前記共通軌道輪の対向部間に複数の円筒ころと、その円筒ころを保持する保持器とを組込み、その保持器が、リング状部の軸方向一側面に複数の柱部を周方向に等間隔に設けたくし形とされ、そのくし形保持器を、一対のつば付き軌道輪の突合せ面側にリング状部が配置される組込みとした構成を採用したのである。
【００１０】
上記の構成からなる円筒ころ軸受の組立てに際しては、端面を突き合わせて並列の配置とされた一対のつば付き軌道輪のそれぞれに対して複数の円筒ころと、くし形保持器の組付けを行なう。その際、円筒ころの組付けを先とし、その円筒ころの組込み後、つば付き軌道輪の突合せ面側の軸方向一端から円筒ころに向けてくし形保持器を挿入する。このとき、保持器は柱部を先にして挿入し、複数の柱部のそれぞれを周方向で対向する円筒ころ間に差し込むようにする。
【００１１】
つば付き軌道輪に対して円筒ころを複列に組付ける必要がある場合は、円筒ころの組付け後に保持器の組付けを行なう上記の操作を繰り返す。このとき、保持器は同方向からの組付けとする。
【００１２】
つば付き軌道輪に対する円筒ころおよびくし形保持器の組付け後、そのつば付き軌道輪の一対を、くし形保持器のリング状部が対向するようにして軸方向に並列し、その並列された一対のつば付き軌道輪に対して、その軸方向一端から共通軌道輪の組付けを行なうことによって円筒ころ軸受の組立てが完了する。
【００１３】
上記のように、くし形保持器の組付けは、先に組付けられた円筒ころに向けての挿入による組立てであって、柱部を径方向に変形させる必要がないため、円筒ころ軸受を保持器や円筒ころを損傷させることなく極めて簡単に組み立てることができ、入れ溝やテーパ面の加工、落ち止め爪の加工を不要とすることができる。
【００１４】
この発明の係る円筒ころ軸受は、一対のつば付き軌道輪のそれぞれと共通軌道輪間に組み込まれた円筒ころ列をそれぞれ単列とし、全体として複列の円筒ころ列としたものであってもよく、あるいは、一対のつば付き軌道輪の少なくとも一方のつば付き軌道輪と共通軌道輪間に組み込まれた円筒ころ列を複列とし、全体として３列または４列の多列の円筒ころ列としたものであってもよい。
【００１５】
ここで、一対のつば付き軌道輪の軸方向両端の案内つばを除く他の残りの案内つばの軸方向の幅寸法を同一とすると、複数のくし形保持器におけるリング状部の幅寸法も同一とすることができるので、保持器は一種類となり、そのくし形保持器の共通化によってコストを低減することができる。
【００１６】
また、一対の軌道輪の突き合わせ面を境としてその両側に配置された一対の保持器のリング状部を共通とすることにより、保持器の数を少なくすることができるため、この場合もコストの低減を図ることができると共に、ころの遅れ、進みによる突合せ面の摩擦、摩耗を防止することができる。
【００１７】
さらに、一対のつば付き軌道輪を連結手段により連結することにより、一対のつば付き軌道輪を非分離とすることができるため、各種装置に対しての組付けの容易な円筒ころ軸受を得ることができる。
【００１８】
上記連結手段として、一対のつば付き軌道輪の突合せ側端部に跨るようにして連結リングを嵌合し、その連結リングの両端部を径方向に加締め、その加締め片をつば付き軌道輪のリング嵌合面に形成された周方向の係合溝に係合させた方法や、一対のつば付き軌道輪の突合せ側端部に跨るようにして連結リングを圧入する方法を採用することができる。
【００１９】
ここで、保持器を変形させてころを組み込む形式の保持器の場合、保持器を鍔なし軌道輪による軌道輪案内としたとき組み込みの際の保持器の変形量が大きく容易でない。
【００２０】
この発明における保持器のように変形をさせずに組み込める保持器であれば、容易に保持器の案内を鍔なしの共通軌道輪による軌道輪案内とすることができる。そして、保持器の案内を鍔なしの共通軌道輪による軌道輪案内とすることによって、鍔なし軌道輪が回転する軸受のとき保持器が回転軌道輪から直接駆動力を得ることができる。
【発明の効果】
【００２１】
この発明に係る円筒ころ軸受においては、上記のように、くし形保持器の柱部を先に組付けられた円筒ころ間に差し込むことによって組み立てを行なうことができるため、円筒ころ軸受を円筒ころや保持器を損傷させることなくきわめて容易に組み立てることができる。
【図面の簡単な説明】
【００２２】
【図１】この発明に係る円筒ころ軸受の第１の実施の形態を示す断面図
【図２】図１のII−II線に沿った断面図
【図３】図１のIII−III線に沿った断面図
【図４】（ａ）乃至（ｅ）は、円筒ころ軸受の組立てを段階的に示す断面図
【図５】この発明に係る円筒ころ軸受の第２の実施の形態を示す断面図
【図６】この発明に係る円筒ころ軸受の第３の実施の形態を示す断面図
【図７】この発明に係る円筒ころ軸受の第４の実施の形態を示す断面図
【図８】この発明に係る円筒ころ軸受の第５の実施の形態を示す断面図
【図９】この発明に係る円筒ころ軸受の第６の実施の形態を示す断面図
【発明を実施するための形態】
【００２３】
以下、この発明の実施の形態を図面に基づいて説明する。図１乃至図４は、この発明に係る円筒ころ軸受の第１の実施の形態を示す。図１乃至図３に示すように、円筒ころ軸受は、外方軌道輪としての一対の外輪１と、内方軌道輪としての共通の内輪１１と、両輪間に組み込まれた円筒ころ２１およびその円筒ころ２１を保持する保持器３１からなる。
【００２４】
一対の外輪１のそれぞれは、内径面の両端部と軸方向の中央部とに案内つば２をそれぞれ有し、その案内つば２間に形成された軌道溝３のそれぞれに沿って円筒ころ２１が転動自在とされている。
【００２５】
一対の外輪１は、端面が突き合わされて軸方向に並列の配置とされ、連結リング４１により連結されて軸方向に非分離とされている。実施の形態では、一対の外輪１の突合せ側端部に跨るようにして連結リング４１を嵌合し、その連結リング４１の両端部を径方向内方に向けて加締め、その加締め片４２を一対の外輪１のそれぞれの外径面に形成された周方向の係合溝４に係合しているが、外輪１の外径面に連結リング４１を圧入するようにしてもよい。
【００２６】
円筒ころ２１は、一対の外輪１のそれぞれに対して複列の組込みとされ、全体として４列の円筒ころ列が設けられ、それぞれの列の円筒ころ２１が保持器３１により保持されている。
【００２７】
保持器３１は、リング状部３２の軸方向一側面に複数の柱部３３を周方向に等間隔に設けたくし形とされ、各柱部３３の周方向両側は円筒ころ２１の外周に沿う円筒面３４とされている。周方向で対向する円筒面３４間はポケット３５とされ、そのポケット３５内に円筒ころ２１が組み込まれている。
【００２８】
くし形保持器３１は、一対の外輪１の突合せ面側にリング状部３２が配置される組込みとされ、保持する円筒ころ２１によって外部に抜け出るのが防止されている。リング状部３２の幅寸法は、その外方に位置する案内つば２の軸方向幅とほぼ等しい寸法とされている。また、くし形保持器３１は外輪案内とされているが、内輪案内としてもよい。
【００２９】
第１の実施の形態で示す円筒ころ軸受は上記の構造からなり、その円筒ころ軸受の組立てに際しては、図４（ａ）乃至（ｅ）に示す順序にしたがって行なう。まず、（ａ）に示すように、並列に配置された一対のつば付き外輪１の一方、例えば、左側に位置する外輪１の左側の軌道溝３内に複数の円筒ころ２１を組込み、その円筒ころ２１の組込み後に、左側に位置する外輪１の右側から内部にくし形保持器３１を挿入する。このとき、保持器３１は、柱部３３を先にして挿入し、複数の柱部３３のそれぞれを周方向で対向する円筒ころ２１間に差し込むようにする。
【００３０】
一列目の軌道溝３に対する円筒ころ２１および保持器３１の組込み後、（ｂ）に示すように、残りの軌道溝３内に円筒ころ２１を組込み、その組込み後、上記と同様に、外輪１の右側から内部にくし形保持器３１を挿入して、先行側の柱部３３のそれぞれを周方向で対向する円筒ころ２１間に差し込むようにする。
【００３１】
左側の外輪１に対する複列円筒ころ２１の組付け後、（ｃ）に示すように、右側の外輪１の右側の軌道溝３内に複数の円筒ころ２１を組込み、その円筒ころ２１の組込み後に、右側外輪１の左側から内部にくし形保持器３１を挿入する。このとき、保持器３１は、柱部３３を先にして挿入し、複数の柱部３３のそれぞれを周方向で対向する円筒ころ２１間に差し込むようにする。
【００３２】
右側軌道溝３に対する円筒ころ２１および保持器３１の組込み後、（ｄ）に示すように、残りの軌道溝３内に円筒ころ２１を組込み、その組込み後、上記と同様に、外輪１の左側から内部にくし形保持器３１を挿入して、先行側の柱部３３のそれぞれを周方向で対向する円筒ころ２１間に差し込むようにする。
【００３３】
上記のようにして、複列の外輪１のそれぞれ内部に複列の円筒ころ２１を組込むと、（ｅ）に示すように、一対の外輪１の端面を突き合わせて連結リング４１で連結し、その連結後に内輪１１の組付けを行なうことによって組み立てが完了する。
【００３４】
上記のように、円筒ころ軸受の組立ては、外輪１の軌道溝３に対する円筒ころ２１の組付け後、くし形保持器３１の組付けを行って円筒ころ２１を保持するものであり、そのくし形保持器の組付けが挿入による組立てであって、柱部３３を径方向に変形させる必要がないため、円筒ころ軸受を保持器３１や円筒ころ２１を損傷させることなく極めて簡単に組み立てることができる。その組立状態において、円筒ころ２１は案内つば２により抜止めされ、保持器３１はその円筒ころ２１で抜止めされるため、安定した組立状態を得ることができる。
【００３５】
第１の実施の形態で示す円筒ころ軸受においては、内径面に複列の軌道溝３が形成された一対のつば付き外輪１の組み合わせを例にとって説明したが、外輪１の組み合わせはこれに限定されるものではない。例えば、図５の第２の実施の形態で示すように、複列の軌道溝３を内径面に有するつば付き外輪１と、単列の軌道溝３を内径面に有するつば付き外輪１の組み合わせとして、円筒ころ列を３列としてもよく、あるいは、図６の第３の実施の形態で示すように、単列の軌道溝３を内径面に有する一対のつば付き外輪１同士の組み合わせとして、円筒ころ列を２列としてもよい。
【００３６】
図７は、この発明に係る円筒ころ軸受の第４の実施の形態を示す。この実施の形態においては、軸方向に並列された一対のつば付き外輪１の軸方向両端の案内つば２を除く他の残りの案内つば２の軸方向の幅寸法Ｗを同一としている点で、図１に示す円筒ころ軸受と相違する。このため、図１と同一の部品は同一の符号を付して説明を省略する。
【００３７】
第４の実施の形態で示すように、複列のつば付き外輪１の軸方向両端の案内つば２を除く他の残りの案内つば２の軸方向の幅寸法Ｗを同一とすることによって、図７に示すように、複数のくし形保持器３１におけるリング状部３２の幅寸法を同一とすることができ、リング状部３２の幅寸法が異なる数種のくし形保持器３１を製作する必要がなくなり、保持器３１の共通化によってコストの低減を図ることができる。
【００３８】
図８は、この発明に係る円筒ころ軸受の第５の実施の形態を示す。この実施の形態においては、複列の外輪１の突き合わせ面を境とし、その境界面に近接する左右一対の保持器３１のリング状部３２を共通としている点で第１の実施の形態で示す円筒ころ軸受と相違する。このため、第１の実施の形態で示す円筒ころ軸受と同一の部品には同一の符号を付して説明を省略する。
【００３９】
ここで、境界面に近接する左右一対の保持器３１のリング状部３２を共通するとは、リング状部３２の軸方向両側に複数の柱部３３が設けられた保持器であることを意味する。
【００４０】
図８に示すように、一対の保持器３１のリング状部３２を共通とすることにより、保持器３１の数を少なくすることができるため、コストの低減を図ることができると共に、ころ２１の遅れ、進みによる突合せ面の摩擦、摩耗を防止することができる。
【００４１】
第１乃至第５の実施の形態では、外輪１を一対とし、内輪１１を共通としたが、図９の第６の実施の形態で示すように、外輪１を共通とし、内輪１１を一対とし、その一対の内輪１１のそれぞれ外径面に複数の案内つば１２を設けるようにしてもよい。
【００４２】
第６の実施の形態で示す円筒ころ軸受の場合、一対のつば付き内輪１１の端面を突き合わせ、それぞれ内輪１１の案内つば１２間に組み込まれた円筒ころ２１保持用の保持器３１は、そのリング状部３２が内輪１１の突合せ面側に配置される組込みとする。そのような組込みによって、保持器３１は、内輪１１の外側に嵌合する組込みとすることができ、組立ての容易な円筒ころ軸受を得ることができる。
【００４３】
ここで、図９に示す内輪突合せの円筒ころ軸受において、並列配置の内輪１１を軸方向に非分離とする場合は、内輪１１の突合せ側端部に跨るようにしてその内径面に連結リング４３を嵌合し、その連結リング４３の両端部を径方向外方に向けて加締め、その加締め片４４を内輪１１の内径面に形成された係合溝１３に係合する。
【００４４】
なお、連結リング４３は圧入による取付けとしてもよい。図９では保持器３１を内輪案内としているが、外輪案内としてもよい。
【符号の説明】
【００４５】
１    外輪（外方軌道輪）
２    案内つば
４    係合溝
１１  内輪（内方軌道輪）
１２  案内つば
１３  係合溝
２１  円筒ころ
３１  保持器
３２  リング状部
３３  柱部
３５  ポケット
４１  連結リング
４２  加締め片
【図１】
2013024303.tif 000003
【図２】
2013024303.tif 000004
【図３】
2013024303.tif 000005
【図４】
2013024303.tif 000006
【図５】
2013024303.tif 000007
【図６】
2013024303.tif 000008
【図７】
2013024303.tif 000009
【図８】
2013024303.tif 000010
【図９】
2013024303.tif 000011